(57)【要約】      （修正有）【課題】作業性が良く、コスト的に有効な足場板側縁間の隙間閉塞構造を提供する。【解決手段】仮設足場の並列された足場板２の側縁２ｂ間の隙間の閉塞構造である。隙間の両側の足場板側縁上面に亘る閉塞板１１と、閉塞板に設けた上下方向の断面コ字状案内枠１２と、案内枠内に上下に移動可能に設けたロック片１３と、ロック片の上部に設けた起伏自在のレバー片１４とを有し、ロック片の下端は上向きコ字状の係止部１８となっている。レバー片を起立させた状態で、ロック片を案内枠に対して上下方向に移動し、レバー片を倒伏させて案内枠に係止させてロック片の下降を阻止する。ロック片を上方に移動すると、係止部のコ字状の先端上向き係止片１８ｂが足場板の断面コ字状側縁を越えて側縁の内側に位置し、レバー片が案内枠に係止すると、係止片の足場板側縁の内側位置が維持されて閉塞板が足場板に取付けられる。【選択図】図７
0003218721.tif 000002
【実用新案登録請求の範囲】
【請求項１】
仮設足場の足場板（２）間の隙間（Ｓ）を閉塞する構造であって、前記足場板（２）の側縁（２ｂ）及びの長さ方向の端縁（２ｄ）は、内側に向く断面コ字状となっており、
前記隙間（Ｓ）の両側の足場板（２）上面に亘る閉塞板（１１）と、その閉塞板（１１）に設けられた上下方向の案内枠（１２）と、その案内枠（１２）内に上下に移動可能に設けたロック片（１３、１３’）と、そのロック片（１３、１３’）の上部に設けた起伏自在のレバー片（１４）とを有し、
前記ロック片（１３、１３’）の下端は上向きコ字状に折れ曲がった係止部（１８）を有し、
前記レバー片（１４）が起立した状態で、前記ロック片（１３）が案内枠（１２）に対して上下方向に移動し、前記レバー片（１４）を倒伏することによりそのレバー片（１４）が案内枠（１２）に係止して前記ロック片（１３、１３’）の下降を阻止し、
前記ロック片（１３、１３’）の上方への移動によって、前記係止部（１８）のコ字状の先端上向き係止片（１８ｂ）が前記足場板（２）の断面コ字状側縁（２ｂ）又は端縁（２ｄ）を越えてその側縁（２ｂ）又は端縁（２ｄ）の内側に位置すると共に、前記レバー片（１４）が案内枠（１２）に係止した際、前記係止部（１８）の上向き係止片（１８ｂ）の前記足場板側縁（２ｂ）又は端縁（２ｄ）の内側位置が維持されることを特徴とする足場板の隙間閉塞構造。
【請求項２】
前記ロック片（１３’）は、前記案内枠（１２）内で上下方向の軸心回りに回転可能となっており、その回転によって前記係止部（１８）の上向き係止片（１８ｂ）が前記足場板（２）の側縁（２ｂ）又は端縁（２ｄ）の内側又は外側に選択的に位置することを特徴とする請求項１に記載の足場板の隙間閉塞構造。
【請求項３】
前記レバー片（１４）は、その長さ方向中央より下方で前記ロック片（１３）に起伏自在に取りつけられていることを特徴とする請求項１又は２に記載の足場板の隙間閉塞構造。
【請求項４】
前記レバー片（１４）が案内枠（１２）に係止し、前記係止部（１８）の上向き係止片（１８ｂ）の前記足場板側縁（２ｂ）の内側位置が維持される状態において、前記ロック片（１３）が前記端縁（２ｄ）の端壁に対向することを特徴とする請求項１乃至３の何れか１つに記載の足場板の隙間閉塞構造。
【考案の詳細な説明】
【技術分野】
【０００１】
この考案は、仮設足場の並列された足場板の間の隙間を閉じる足場板間の隙間閉塞構造に関するものである。
【背景技術】
【０００２】
例えば、仮設足場には、この考案の一実施形態を示す図１を参照して説明すると、建地材となる縦柱等の前後一対の支柱１、１の複数を建物Ｈに沿って所要間隔で立設し、その建物Ｈに沿った支柱１、１間の高さ方向の適宜位置に足場板（踏板）２を設けるとともに、その足場板２の前面に（又は後面にも）手摺り付筋交い３を設けた構造のものがある（特許文献１）。
【０００３】
この仮設足場において、足場板２は複数枚が使用され、その並列された足場板２、２の間には、支柱１、１間の規格と足場板２の幅の規格との相違から、隙間Ｓが生じる場合がある。
このため、従来から、その隙間Ｓを塞ぐ構造として種々の考案が提案されている（特許文献３〜７参照）。
【先行技術文献】
【特許文献】
【０００４】
【特許文献１】特許第３８５１１０５号公報
【特許文献２】意匠登録第１３５１９４２号公報
【特許文献３】実用新案登録第３０１９４８３号公報
【特許文献４】実用新案登録第３１９９６３５号公報
【特許文献５】特開２００２−２５６６９７号公報
【特許文献６】特開２００９−２４９８６１号公報
【特許文献７】特開２０１１−２２６２２１号公報
【考案の概要】
【考案が解決しようとする課題】
【０００５】
特許文献３〜７記載の足場板側縁間の隙間閉塞構造は、ばねを使用したり、その操作が煩雑であったりと種々の問題がある。
【０００６】
この考案は、以上の実状の下、新規な足場板側縁間の隙間閉塞構造を提供することを課題とする。
【課題を解決するための手段】
【０００７】
上記課題を達成するため、この考案は、まず、足場板は、機械的強度を高めるために（補強のために）、その周縁は内側に向く断面コ字状となっていることに着目し、そのコ字状側縁に閉塞板を係止することとしたのである。
つぎに、その閉塞板の係止部も断面コ字状としたのである。
その閉塞用閉塞板のコ字状係止部を前記足場板のコ字状縁に係止すれば、足場板に閉塞用閉塞板も係止される。
【０００８】
具体的には、仮設足場の足場板間の隙間を閉塞する構造であって、前記足場板の側縁及びの長さ方向の端縁は内側に向く断面コ字状となっており、前記隙間の両側の足場板の上面に亘る閉塞板と、その閉塞板に設けられた上下方向の案内枠と、その案内枠内に上下に移動可能に設けたロック片と、そのロック片の上部に設けた起伏自在のレバー片とを有し、前記ロック片の下端は上向きコ字状に折れ曲がった係止部を有し、前記レバー片を起立させた状態で、前記ロック片が案内枠に対して上下方向に移動し、前記レバー片を倒伏することによりそのレバー片が案内枠に係止してロック片の下降を阻止し、前記ロック片の上方への移動によって、前記係止部のコ字状の先端上向き係止片が足場板の断面コ字状側縁又は端縁を越えてその側縁又は端縁の内側に位置すると共に、レバー片が案内枠に係止した際、係止部の上向き係止片の足場板側縁又は端縁の内側位置が維持される構成としたのである。
【０００９】
この係止部の上向き係止片の足場板側縁又は端縁の内側位置が維持されると、閉塞板は横方向に動いても足場板の側縁又は端縁に当接するため、足場板から外れることがない。このため、閉塞板による足場板の隙間閉塞は安定して担保される。
【００１０】
前記ロック片は、前記案内枠内で上下方向の軸心回りに回転可能とすれば、その回転によって、前記係止部の上向き係止片が前記足場板の側縁又は端縁の内側又は外側に選択的に位置するようにすることができる。
【００１１】
これらの構成において、前記レバー片を、その長さ方向中央より下方でロック片に起伏自在に取りつければ、レバー片は自重で倒伏することとなって、案内枠に自然に係止する。このため、レバー片は人為的に起立させない限り、ほぼ起立することがなく、係止部の上向き係止片の足場板側縁の内側位置が維持され、閉塞板が足場板から外れることがない。
また、前記足場板の長さ方向の端縁が下方に突出する端壁を有するものであれば、前記レバー片が案内枠に係止し、前記係止部の上向き係止片の足場板側縁の内側位置が維持される状態において、前記ロック片が前記端壁に対向する構成を採用することができる。このようにすると、閉塞板の長さ方向の動きに対し、ロック片が前記端壁に当接することによって、その動きが阻止される。
【考案の効果】
【００１２】
この考案は、以上のように構成したので、作業性も良く、コスト的に有利な足場板の隙間閉塞構造を得ることができる。
【図面の簡単な説明】
【００１３】
【図１】この考案に係る仮設足場の一実施形態の概略斜視図
【図２】同実施形態の足場板間の閉塞板の斜視図
【図３】図２の要部拡大図であり、（ａ）は平面図、（ｂ）は（ａ）の切断正面図、（ｃ）は（ｂ）の右側面図
【図４】同実施形態の閉塞板とロック機構を切り離した一部切欠き斜視図
【図５】同閉塞板にロック機構を取り付けた要部斜視図
【図６】同閉塞板の足場板間への取付け説明用断面図
【図７】同閉塞板の足場板間への取付け状態を示し、（ａ）は切断正面図、（ｂ）は（ａ）の右切断側面図
【図８】他の実施形態の閉塞板にロック機構を取り付けた要部斜視図
【図９】同実施形態のロック機構の要部斜視図
【図１０】同実施形態の作用説明図であり、（ａ）は平面図、（ｂ）は（ａ）の切断正面図
【図１１】同作用説明図であり、（ａ）は切断部分正面図、（ｂ）は（ａ）の切断右側面図
【図１２】他の閉塞板の斜視図
【図１３】他の仮設足場の概略斜視図
【図１４】この考案に係る仮設足場の他の実施形態の概略斜視図
【図１５】同実施形態の一要部を示し、（ａ）は平面図、（ｂ）は（ａ）の正面図
【図１６】同実施形態の他の要部を示す平面図
【図１７】同実施形態の足場板間の一の閉塞板を示し、（ａ）は下方からの斜視図、（ｂ）は平面図
【図１８】同他の閉塞板を示し、（ａ）は下方からの斜視図、（ｂ）は平面図
【考案を実施するための形態】
【００１４】
この考案の一実施形態を図１〜図７に示し、この実施形態に係る仮設足場は、図１に示すように、建地材となる縦柱等の前後一対の支柱１、１の複数を建物Ｈに沿って所要間隔で立設し、その建物に沿った支柱１、１間の高さ方向の適宜位置に足場板２を設けるとともに、その足場板２の前面に手摺り付筋交い３を設けた緊結型枠組足場構造である。
【００１５】
支柱１は、図１に示すように、その長さ方向所要間隔で緊結部（コマ）となるフランジ４が設けられており、そのフランジ４には周囲４等分位（前後左右）に係止孔が形成されている。フランジ４の上下高さ方向（前記長さ方向）の間隔は安全技術基準に基づき足場板２の設置高さ等を考慮して適宜に設定される。この実施形態では、フランジ４は、手摺り付筋交い３の取付ピッチ（間隔）の半分のピッチで設けられている。
【００１６】
足場板２は、四角枠内に網板やパンチング板等を設けた長方形の床板２ａと、その床板２ａの前後縁の両端に設けたフック６とからなり、従来と同様、そのフック６をパイプ状布材５に引っかけて左右の支柱１、１間に掛け渡される（設けられる）。床板２ａ（足場板２）の側縁２ｂは、内側に向く断面コ字状となって、機械的強度が向上されている（補強がなされている）。そのコ字状の側縁２ｂは先端に立ち上がり壁２ｃを有する（図７（ａ）参照）。また、床板２ａ（足場板２）の長さ方向の端縁（端壁）２ｄも同様な内側に向く断面コ字状となっている（図７（ｂ）参照）。
布材５は、左右の支柱１、１間に亘る横ステーの端を係止金具でもってフランジ４の係止孔に係止することによって前後の支柱１、１間に掛け渡される（特許文献２使用状態を示す参考図１参照）。
【００１７】
その足場板２の前後面に手摺り付筋交い３が取付けられる。手摺り付筋交い３は、手摺りとなる水平杆３ａと、その水平杆３ａの両端に回転自在に設けた筋交いとなるＸ字状の斜杆３ｂとからなり、その両斜杆３ｂの上端にフックをそれぞれ有し、斜杆３ｂの先端（下端）に二叉状の係止部を有している。このため、両斜杆３ｂの上端のフックを支柱１のフランジ４の左右の係止孔に嵌め込み、その後、斜杆３ｂの係止部を前記フランジ４より下側のフランジ４に係止して取付ける（特許文献１図６〜図９参照）。
なお、この手摺り付筋交い３は、取付ける支柱１、１間の長さによって上記の水平杆３ａ、斜杆３ｂの長さを異ならせる。
【００１８】
このような仮設足場において、隣接する足場板２、２の隙間Ｓを閉塞する構造がこの考案であり、この実施形態の足場板２、２の側縁２ｂ、２ｂ間の隙間閉塞構造は、隙間Ｓの両側の足場板２、２の側縁２ｂ上面に亘る閉塞板（プレート）１１をロック機構１０によって足場板２に固定するものである。このロック機構１０は、閉塞板１１の両端に設けられており（図２参照）、上下方向の案内枠１２と、その案内枠１２内に設けたロック片１３と、そのロック片１３の上部のレバー片１４とを有する（図４〜図６等参照）。
【００１９】
閉塞板１１は、両側縁が傾斜部１１ａとなってその傾斜部１１ａが隣接する足場板２、２の側縁２ｂ、２ｂ上面にあてがわれる（図６参照）。このため、閉塞板１１の幅（図３（ａ）の横方向長さＬ）は、種々の隙間Ｓの幅に対応できるように、実験及び実際の施工現場の実情に合わせて適宜に設定する。例えば、長手方向：１７７０ｍｍ、短手方向Ｌ：２６０ｍｍとする。足場板２や閉塞板１１は穴あきのものとし得る（図１７、図１８参照）。
閉塞板１１の両側部裏面全長にはＬ形鋼からなるフレーム１５が溶接やリベット止めなどで固定されており、その一端のフランジ部１５ａに切欠き１６が形成されている。この切欠き１６に対応して閉塞板１１にも透孔１７が形成されている。このため、切欠き１６と透孔１７は重なってほぼ同一大きさで同一位置に位置する。
【００２０】
案内枠１２は断面コ字状をしており、前記フレーム１５にその両端のフランジをフレーム１５のウエブ部１５ｂに溶接やリベット止め等することによって固定されている。この案内枠１２のコ字状枠内に前記ロック片１３は上下に移動自在に設けられている。
このロック片１３の下端は上向きコ字状に折れ曲がった係止部１８となっている（有する）。係止部１８は、ロック片１３の下端から前方（足場板２の内側）に延びる水平片１８ａと、その水平片１８ａの先端から上方に立ち上がる立片（係止片）１８ｂと、その立片１８ｂの先端から前方に延びる突片１８ｃとからなる。この水平片１８ａ、立片１８ｂ及び突片１８ｃの長さ（水平片１８ａ及び突片１８ｃは図７（ａ）左右方向、立片１８ｂは同図上下方向）は足場板２の側縁２ｂの形状に応じ、下記の係止部１８と足場板２の側縁２ｂとの係止が円滑に行われるように適宜に設定する。
【００２１】
レバー片１４は、ロック片１３に沿いピン２０によってそのピン２０周りに回転（揺動）自在となっている。ピン２０はロック片１３に固定されて横ピン２１が貫通固定しており、これによって、レバー片１４のロック片１３（ピン２０）からの離脱が防止されている。前記ピン２０の下方のロック片１３にもピン２２が突設されており、両ピン２０、２２の先端が案内枠１２の内面に対向することによって、ロック片１３が案内枠１２内を上下方向に前後（図７（ａ）の左右方向）に揺れることなく円滑に移動する。また、ロック片１３の幅は案内枠１２の内幅とほぼ同じ寸法に設定されて、ロック片１３は案内枠１２内を左右（図７（ｂ）の左右方向）に揺れることなく円滑に移動する。
【００２２】
レバー片１４はその上部に横方向に突出する突片（摘み片）２３を有し、図７（ａ）、（ｂ）実線に示す、レバー片１４が起立した状態では、この突片２３が案内枠１２の上端縁に係止してそれ以上のロック片１３の下降を防止する（同図（ａ）参照）。このロック片１３の下降が防止（阻止）された状態において、図７（ａ）、（ｂ）実線に示すように、ロック片１３の係止部１８は足場板２のコ字状側縁２ｂの下方に位置する。
【００２３】
そのロック片１３の係止部１８が足場板２のコ字状側縁２ｂの下方に位置して対向した状態において、図７（ｂ）鎖線で示すように、レバー片１４を持ち上げると、ロック片１３の係止部１８が上昇して、その立片１８ｂが足場板２のコ字状縁部２ｂの立ち上がり壁２ｃに対向する。
この状態から、同図鎖線で示すように，レバー片１４を横方向に倒すと（倒伏すると）、ロック片１３の係止部１８は下降するが、レバー片１４が案内枠１２の上縁に当接して、図７（ａ）、（ｂ）鎖線で示すように、前記係止部１８の立片１８ｂは足場板２のコ字状縁部２ｂの立ち上がり壁２ｃに対向する状態を維持する。
【００２４】
この状態において、閉塞板１１の横方向（図７（ａ）左右方向）への移動は、その立片１８ｂと足場板側縁２ｂの立ち上がり壁２ｃの当接及びフレーム１５の足場板側縁２ｂとの当接（図７（ａ）参照）によって阻止される。このため、閉塞板１１は足場板２から抜け出なくなって、足場板２、２の間に閉塞板１１が取り付けられてその隙間Ｓを安定して塞ぐ。この状態は、ロック機構１０の側（図７（ａ）において左側）で閉塞板１１は固定され、他の側（同右側）は自由となって、その自由の幅（足場板２との重なり幅）の範囲内において、隙間Ｓの大きさに対応できる。このとき、その重なり幅は、人が乗っても支障がない程度、例えば左右両側とも４００ｍｍ程度とする。
なお、前記係止部１８の上昇時、係止部１８の立片１８ｂから突片１８ｃへのアール状屈曲部１８ｄがコ字状縁部２ｂの立ち上がり壁２ｃのアール状屈曲部２ｅに当たって上昇する（図７（ａ）参照）。このアール状屈曲部１８ｄ、２ｅの当接は円弧面で行われるため、その上昇は円滑に行われる。
【００２５】
この考案に係る実施形態の足場板２、２の側縁２ｂ、２ｂ間の隙間閉塞構造は以上の構成であり、図１に示す、足場板２、２の側縁２ｂ、２ｂの隙間Ｓにこの隙間閉塞構造を構成するには、図６の鎖線で示す、ロック機構１０のロック片１３を下げた状態にして、閉塞板１１をその隙間Ｓに臨ませ、一方の足場板２（同図においては右側足場板２）側から、ロック片１３がその隙間Ｓに入るように、その隙間Ｓの両足場板２、２の側縁２ｂ、２ｂの上面にあてがうととともに、ロック片１３を足場板２（図６では左側の足場板２）の側縁２ｂに当接する（図６の白抜き矢印参照）。
【００２６】
その状態において、図７に示すように、レバー片１４でもってロック片１３を持ち上げると、その係止部１８が足場板２の側縁２ｂに係止する（下方に臨む）。つぎに、レバー片１４を倒すと（図７（ｂ）鎖線状態）、係止部１８は足場板２の側縁２ｂに係止する状態を維持した下降位置となる。このため、両足場板２、２の間に閉塞板１１が亘ってその隙間Ｓが閉塞される。
このとき、レバー片１４は、その長さ方向中央より下方でロック片１３にピン２０を介して取り付けられているため、人が倒さなくても、自重で倒れて（倒伏して）、案内枠１２に自然に係止する。また、この閉塞板１１の閉塞状態において、レバー片１４は透孔１７（閉塞板１１）の上面と面一かそれより下方に位置して（図７（ｂ）鎖線状態参照）、人によって立ち上げない限り、容易に立ち上がらないようになっている。このため、レバー片１４は人為的に起立させない限り、ほぼ起立することがなく、係止部１８の上向き立片１８ｂの足場板側縁２ｂの内側位置が維持され、閉塞板１１が足場板２から外れることがない。
【００２７】
足場板２内に入ったロック片１３は足場板２のコ字状端縁（図１において左右の端縁）に臨み（近接して対向し）、その端縁の端壁（側片）２ｄ（図７（ｂ）、図１３参照）にロック片１３又は案内枠１２の側縁が当接することによって、閉塞板１１のその長手方向（長さ方向）への移動は阻止される。さらに、閉塞板１１の側縁が布材５や支柱１に当たることによっても、その長さ方向の移動は阻止される。
なお、この移動阻止は、閉塞板１１の端縁にフックを設け（図１参照）、そのフックを布材５や支柱１に引っ掛けることによっても行うことができる。
【００２８】
この隙間閉塞構造において、閉塞板１１を両足場板２、２から外すには、前記操作と逆に、摘み片２３でもってレバー片１４を立ち上げ（図７（ｂ）の鎖線状態）、ロック片１３を下降させて、図７の実線状態にした後、図６の反白抜き矢印方向に閉塞板１１を動かせば良い。
【００２９】
前記実施形態において、図８に示すように、前記ロック片１３を断面丸状又は断面角状の棒材１３’とし、案内枠１２内で上下方向の軸心回りに回転可能とすれば、その回転によって、図１０（ａ）破線及び同図（ｂ）実線で示す、係止部１８の上向き係止片１８ｂが足場板２の側縁２ｂ外側に位置する、又は図１０（ａ）、（ｂ）鎖線で示す、同係止片１８ｂが足場板２の側縁２ｂ内側に位置するように選択的にすることができる。
このようにすれば、閉塞板１１を両足場板２、２に架け渡した際、図１０（ｂ）に示すように、隙間Ｓに布材５等が存在して、ロック片１３’の係止部１８を隙間Ｓに挿入できなかったり、取り出したりできない場合、同図実線に示すように、ロック片１３’を回転させてＬ字状係止部１８をその邪魔になる布材５等に沿わせて隙間Ｓに挿入することができる。
【００３０】
係止部１８を隙間Ｓに挿入して足場板の側縁２ｂに臨めば、図１０（ａ）の反鎖線矢印に示すように、レバー片１４でもってロック片１３’を回転させて係止部１８の水平片１８ａ及び係止片１８ｂを足場板２の側縁２ｂの下方に位置させる（図１０（ｂ））。
この状態において、前記実施形態と同様に、図１１（ｂ）鎖線に示すように、レバー片１４でもってロック片１３’を持ち上げると、その係止部１８が足場板２の側縁２ｂに係止する（下方に臨む）。つぎに、レバー片１４を倒すと（図１１（ｂ）鎖線状態）、係止部１８は足場板２の側縁２ｂに係止する状態を維持した下降位置となる。このため、両足場板２、２の間に閉塞板１１が亘ってその隙間Ｓが閉塞される。
【００３１】
このとき、同様に、レバー片１４は、その長さ方向中央より下方でロック片１３’の二股部にピン２０を介して取り付けられているため、人が倒さなくても、自重で倒れて（倒伏して）、案内枠１２に自然に係止する。また、この閉塞板１１の閉塞状態において、レバー片１４は透孔１７（閉塞板１１）の上面と面一かそれより下方に位置して（図１１（ｂ）鎖線状態参照）、人によって立ち上げない限り、容易に立ち上がらないようになっている。このため、レバー片１４は人為的に起立させない限り、ほぼ起立することがなく、係止部１８の上向き立片１８ｂの足場板側縁２ｂの内側位置が維持され、閉塞板１１が足場板２から外れることがない。
また、前記係止部１８の上昇時、係止部１８の立片１８ｂの上端カット部１８ｄ’がコ字状縁部２ｂの立ち上がり壁２ｃのアール状屈曲部２ｅに当たって上昇する（図１１（ａ）参照）。この縁部１８ｄ’とアール状屈曲部２ｅの当接は円弧面と斜面（Ｃカット面）で行われるため、その上昇は円滑に行われる。
【００３２】
この隙間閉塞構造において、閉塞板１１を両足場板２、２から外すには、前記操作と逆に、摘み片２３でもってレバー片１４を立ち上げ、ロック片１３’を下降させて、図１１の実線状態にした後、閉塞板１１を横方向に移動させてロック片１３’を上方に動かせば良い（図６参照）。このとき、図１０（ｂ）に示すように、隙間Ｓに布材５等が存在して、ロック片１３’の係止部１８を隙間Ｓから取り出しできない場合、図１０（ｂ）実線に示すように、ロック片１３’を回転させてＬ字状係止部１８をその邪魔になる布材５等に沿わせて隙間Ｓから取り出す。
【００３３】
この実施形態においては、前記実施形態の案内枠１２の断面コ字状膨出部（ロック片１３’の案内部）１２ａを断面半円弧状（図９参照）として棒状ロック片１３’をその軸心回りに回転し易くしている。但し、ロック片１３’がその軸心回りに回転し得れば、案内枠１２の前記案内部１２ａの断面形状は四角状等と任意である。
また、軸心回りに回転し得れば、ロック片１３’は、棒状に限らず、図４等に示す、板状でも良い。また、回転時に案内部１２ａと触れる部分のみを棒状形状とすることもできる。
【００３４】
閉塞板１１としては、足場板２と同じ長さの物でなくても、その長さ方向に複数分割した、例えば、図１２に示す、２分割したものとすることもできる。この閉塞板１１は、足場が完成した後に取りつける場合が多いため、長尺のものより、分割して持ちやすいものが好まれる。
この考案は、図１に示す仮設足場の場合であったが、足場板を並列する他の種々の構造の仮設足場、例えば、図１３に示すように、仮設ステージにおいて、その足場板２、２の間の隙間Ｓの閉塞にも使用できる。この図１３においては、２枚の閉塞板１１、１１で隙間Ｓを塞いでいる。
【００３５】
また、仮設足場において、図１４に示すように、足場板２の長さ方向の突き当たり部分やコーナ部分おいても、この閉塞板１１を設けてその部分の隙間Ｓを閉塞できる。その突き当たり部分の閉塞構造を図１５に、コーナ部分の閉塞構造を図１６にそれぞれ示し、これらの部分は、布材５等があるため、その布材５等をよける工夫がいる。
その工夫は、図１７、図１８に示すように、前記Ｌ形鋼からなるフレーム１５を閉塞板１１の両側部裏面全長に亘らず、布材５等が位置する部分を欠如したことである。図１７においては、閉塞板１１の両側に分かれてフレーム１５が設けられてそのフレーム１５にロック機構１０が構成されている。
この閉塞板１１も前記実施形態と同様にして対向する足場板２、２の間に架け渡してロック機構１０により同様に係止してその間の隙間Ｓを閉塞する。このとき、隙間Ｓが狭いため、ロック片１３はその軸心回りに回転可能なもの１３’とする。
【００３６】
なお、前記実施形態は、クサビ緊結式足場であったが、縦柱と横柱（横地材ともいう）から構成されるＨ形状や鳥居形状の建枠を使用する建枠型枠組足場等の足場板でもって足場を構成する種々の仮設足場においても、この考案は、それらの足場板の隙間の閉塞に使用し得ることは勿論である。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００３７】
１  支柱
２  足場板（踏板）
２ａ  足場板の床板
２ｂ  足場板の側縁
２ｃ  同側縁の立ち上がり壁
２ｄ  足場板の長さ方向の端縁（端壁、側片）
３  手摺り付筋交い
４  フランジ（緊結部）
５  足場板取付用布材
６  フック
１０  ロック機構
１１  閉塞板（プレート）
１２  ロック機構の案内枠
１２ａ  ロック片案内部
１３、１３’  ロック片
１４  レバー片
１５  フレーム（支持杆）
１６  切欠き
１７  透孔
１８  レバー片下部の係止部
１８ａ  同係止部の水平片
１８ｂ  同係止片（同立片）
１８ｃ  同突片
２０  レバー片の揺動ピン
２３  突片（摘み片）
【図１】
0003218721.tif 000003
【図２】
0003218721.tif 000004
【図３】
0003218721.tif 000005
【図４】
0003218721.tif 000006
【図５】
0003218721.tif 000007
【図６】
0003218721.tif 000008
【図７】
0003218721.tif 000009
【図８】
0003218721.tif 000010
【図９】
0003218721.tif 000011
【図１０】
0003218721.tif 000012
【図１１】
0003218721.tif 000013
【図１２】
0003218721.tif 000014
【図１３】
0003218721.tif 000015
【図１４】
0003218721.tif 000016
【図１５】
0003218721.tif 000017
【図１６】
0003218721.tif 000018
【図１７】
0003218721.tif 000019
【図１８】
0003218721.tif 000020